(57)【要約】【課題】粘度指数向上効果が高く、省燃費性に優れた粘度指数向上剤組成物（Ｒ）及び潤滑油組成物を提供する。【解決手段】一般式（１）で表される単量体（ａ）を必須構成単量体とし、かつ溶解性パラメーターが７．３〜１１（ｃａｌ／ｃｍ３）１／２である（共）重合体（Ａ）と、１００℃における動粘度が１〜３０ｍｍ２／ｓであるエステル系潤滑油基油（Ｓ）を含有してなる粘度指数向上剤組成物（Ｒ）、前記（Ｒ）及び基油を含有してなる潤滑油組成物、並びに（Ｓ）の存在下に（ａ）を含有してなる単量体を重合して、溶解性パラメーターが７．３〜１１（ｃａｌ／ｃｍ３）１／２である（共）重合体（Ａ）を得ることを特徴とする、（Ａ）及び（Ｓ）を含有してなる粘度指数向上剤組成物（Ｒ）の製造方法。【選択図】なし【特許請求の範囲】
【請求項１】
下記一般式（１）で表される単量体（ａ）を必須構成単量体とし、かつ溶解性パラメーターが７．３〜１１（ｃａｌ／ｃｍ３）１／２である（共）重合体（Ａ）と、１００℃における動粘度が１〜３０ｍｍ２／ｓであるエステル系潤滑油基油（Ｓ）を含有してなる粘度指数向上剤組成物（Ｒ）。
【化１】
2013142118.tif 000006
［Ｒ１は水素原子又はメチル基；Ｒ２は炭素数２〜４のアルキレン基；ｍは０〜２０の数であり、ｍが２以上の場合のＲ２は同一でも異なっていてもよく、(Ｒ２Ｏ)ｍ部分はランダム結合でもブロック結合でもよい；Ｒ３は炭素数１８〜３６の分岐アルキル基である。]
【請求項２】
更に、１００℃における動粘度が１〜２０ｍｍ２／ｓである潤滑油基油（Ｔ）を含有してなる請求項１記載の粘度指数向上剤組成物（Ｒ）。
【請求項３】
（Ｓ）が、モノエステル系潤滑油基油（Ｓ１）及び／又はジエステル系潤滑油基油（Ｓ２）である請求項１又は２記載の粘度指数向上剤組成物（Ｒ）。
【請求項４】
（Ｒ）の重量に基づく（Ａ）の含有率が１０〜９９．９重量％であり、（Ｓ）の含有率が０．１〜９０重量％である請求項１〜３のいずれかに記載の粘度指数向上剤組成物（Ｒ）。
【請求項５】
（Ｓ）の溶解性パラメーターが８．５〜１０（ｃａｌ／ｃｍ３）１／２である請求項１〜４のいずれかに記載の粘度指数向上剤組成物（Ｒ）。
【請求項６】
（Ａ）が、（Ａ）の構成単量体として、更に炭素数１〜４のアルキル基を有する（メタ）アクリル酸アルキル（ｂ）を含有してなる共重合体である請求項１〜５のいずれかに記載の粘度指数向上剤組成物（Ｒ）。
【請求項７】
（Ａ）が、（Ａ）の構成単量体として、更に炭素数１０〜３０の直鎖アルキル基を有する（メタ）アクリル酸アルキルエステル（ｃ）を含有してなる共重合体である請求項１〜６のいずれかに記載の粘度指数向上剤組成物（Ｒ）。
【請求項８】
（Ａ）が、（Ａ）の構成単量体として、更に窒素原子含有ビニル単量体（ｄ）を含有してなる共重合体である請求項１〜７のいずれかに記載の粘度指数向上剤組成物（Ｒ）。
【請求項９】
（Ａ）の重量平均分子量が５，０００〜１，０００，０００である請求項１〜８のいずれかに記載の粘度指数向上剤組成物（Ｒ）。
【請求項１０】
（Ａ）の結晶化温度が−２０℃以下である請求項１〜９のいずれかに記載の粘度指数向上剤組成物（Ｒ）。
【請求項１１】
更に、（Ａ）以外の（共）重合体（Ｂ）を含有してなる請求項１〜１０のいずれかに記載の粘度指数向上剤組成物（Ｒ）。
【請求項１２】
請求項１〜１１のいずれかに記載の（Ｒ）及び潤滑油基油（Ｕ）を含有してなる
潤滑油組成物。
【請求項１３】
（Ｓ）の存在下に（ａ）を含有してなる単量体を重合して、溶解性パラメーターが７．３〜１１（ｃａｌ／ｃｍ３）１／２である（共）重合体（Ａ）を得ることを特徴とする、（Ａ）及び（Ｓ）を含有してなる粘度指数向上剤組成物（Ｒ）の製造方法。
【発明の詳細な説明】
【技術分野】
【０００１】
本発明は、粘度指数向上剤及び粘度指数向上剤を含有してなる潤滑油組成物に関する。
【背景技術】
【０００２】
自動車等に使用される潤滑油や作動油等は、一般的に高温になるほど粘度が低下するが、省燃費性の観点から常温から高温までの広範囲にわたり、粘度ができるだけ変化しないことが求められる。そこで潤滑油に粘度指数向上剤を添加して粘度の温度依存性を改善する方法が広く行われている。そのような粘度指数向上剤としては、メタクリル酸エステル共重合体（特許文献−１〜３）及びオレフィン共重合体（特許文献−４）等が知られている。
【先行技術文献】
【特許文献】
【０００３】
【特許文献−１】特許第２７３２１８７号公報
【特許文献−２】特開平８−５３６８３号公報
【特許文献−３】特開２００４−３０７５５１号公報
【特許文献−４】特開２００５−２００４５４号公報
【発明の概要】
【発明が解決しようとする課題】
【０００４】
本発明の目的は、粘度指数向上効果が高く、省燃費性に優れた粘度指数向上剤組成物及び潤滑油組成物を提供することである。
【課題を解決するための手段】
【０００５】
本発明者等は、鋭意検討した結果、本発明に至った。すなわち本発明は、下記一般式（１）で表される単量体（ａ）を必須構成単量体とし、かつ溶解性パラメーターが７．３〜１１（ｃａｌ／ｃｍ３）１／２である（共）重合体（Ａ）と、１００℃における動粘度が１〜３０ｍｍ２／ｓであるエステル系潤滑油基油（Ｓ）を含有してなる粘度指数向上剤組成物（Ｒ）、前記（Ｒ）及び基油を含有してなる潤滑油組成物、並びに（Ｓ）の存在下に（ａ）を含有してなる単量体を重合して、溶解性パラメーターが７．３〜１１（ｃａｌ／ｃｍ３）１／２である（共）重合体（Ａ）を得ることを特徴とする、（Ａ）及び（Ｓ）を含有してなる粘度指数向上剤組成物（Ｒ）の製造方法、である。
【化１】
2013142118.tif 000002
Ｒ１は水素原子又はメチル基；Ｒ２は炭素数２〜４のアルキレン基；ｍは０〜２０の数であり、ｍが２以上の場合のＲ２は同一でも異なっていてもよく、(Ｒ２Ｏ)ｍ部分はランダム結合でもブロック結合でもよい；Ｒ３は炭素数１８〜３６の分岐アルキル基である。
【発明の効果】
【０００６】
本発明の粘度指数向上剤組成物（Ｒ）を含有してなる潤滑油組成物は、粘度指数向上効果が高く、省燃費性や潤滑性に優れるという効果を奏する。
【０００７】
本発明の粘度指数向上剤組成物（Ｒ）は、一般式（１）で示される単量体（ａ）を必須構成単量体とする（共）重合体（Ａ）を含有してなる。
【０００８】
一般式（１）におけるＲ１は、水素原子又はメチル基である。これらのうち、粘度指数
向上効果の観点から好ましいのは、メチル基である。
【０００９】
一般式（１）におけるＲ２は、炭素数２〜４のアルキレン基である。炭素数２〜４のアルキレン基としては、エチレン基、１，２−又は１，３−プロピレン基、及び１，２−、１，３−又は１，４−ブチレン基が挙げられる。これらのうち、粘度指数向上効果の観点から好ましいのは、エチレン基及び１，２−プロピレン基である。
【００１０】
一般式（１）におけるｍは０〜２０の数であり、粘度指数向上効果及び低温粘度の観点から、好ましくは０〜５の数であり、更に好ましくは０〜２の数である。
ｍが２以上の場合のＲ２は同一でも異なっていてもよく、(Ｒ２Ｏ)ｍ部分はランダム結合でもブロック結合でもよい。
【００１１】
一般式（１）におけるＲ３は、炭素数１８〜３６の分岐アルキル基である。炭素数１８〜３６の分岐アルキル基としては、２−（３−メチルヘキシル）−７−メチル−ノニル基、イソオクタデシル基、１−ヘキシルトリデシル基、２−エチルヘプタデシル基、２−オクチルウンデシル基、イソイコシル基、１−ウンデシルドデシル基、１−オクチルペンタデシル基、２−デシルトリデシル基、２−デシルテトラデシル基、２−（１，４，４−トリメチルブチル）−５，７，７−トリメチル−ヘプチル基、２−ドデシルペンタデシル基、イソトリコンチル基、２−テトラデシルヘプタデシル基、２−ヘキサデシルヘプタデシル基及び１−ヘキシルトリコンチル基等が挙げられる。炭素数１８〜３６の分岐アルキル基のうち、粘度指数向上効果及び低温粘度の観点から、好ましいのは、炭素数２０〜３２の分岐アルキル基であり、更に好ましいのは炭素数２２〜３０の分岐アルキル基、特に好ましいのは炭素数２２〜２８の分岐アルキル基である。
【００１２】
単量体（ａ）の具体例としては、（メタ）アクリル酸イソオクタデシル、（メタ）アクリル酸１−ヘキシルトリデシル、（メタ）アクリル酸２−エチルヘプタデシル、（メタ）アクリル酸イソイコシル、（メタ）アクリル酸１−オクチルペンタデシル、（メタ）アクリル酸２−デシルテトラデシル、エチレングリコールモノ−２−デシルテトラデシルエチルエーテルと（メタ）アクリル酸とのエステル、（メタ）アクリル酸２−ドデシルペンタデシル、（メタ）アクリル酸イソトリコンチル、（メタ）アクリル酸２−テトラデシルヘプタデシル、（メタ）アクリル酸２−ヘキサデシルヘプタデシル、（メタ）アクリル酸２−ヘキサデシルイコシル等が挙げられる。なお、「（メタ）アクリル酸」は、アクリル酸又はメタクリル酸を意味する。
【００１３】
（Ａ）は、単量体（ａ）に加え、更に炭素数１〜４のアルキル基を有する（メタ）アクリル酸アルキルエステル（ｂ）を構成単量体とする共重合体であることが、粘度指数向上効果の観点から好ましい。
炭素数１〜４の直鎖アルキル基を有する（メタ）アクリル酸アルキルエステル（ｂ）としては、（メタ）アクリル酸メチル、（メタ）アクリル酸エチル、（メタ）アクリル酸ｎ−プロピル及び（メタ）アクリル酸ｎ−ブチル等が挙げられる。これらのうち好ましいのは、（メタ）アクリル酸メチル及び（メタ）アクリル酸エチルである。
【００１４】
（Ａ）は、単量体（ａ）に加え、更に炭素数１０〜３０の直鎖アルキル基を有する（メタ）アクリル酸アルキルエステル（ｃ）を構成単量体とする共重合体であることが、粘度指数向上効果の観点から好ましい。
炭素数１０〜３０の直鎖アルキル基を有する（メタ）アクリル酸アルキルエステル（ｃ）としては、（メタ）アクリル酸ｎ−デシル、（メタ）アクリル酸ｎ−ドデシル、（メタ）アクリル酸ｎ−トリデシル、（メタ）アクリル酸ｎ−テトラデシル、（メタ）アクリル酸ｎ−ペンタデシル、（メタ）アクリル酸ｎ−ヘキサデシル、（メタ）アクリル酸ｎ−オクタデシル及び（メタ）アクリル酸ｎ−トリアコンチル等が挙げられる。
【００１５】
（Ａ）は、単量体（ａ）に加え、更に窒素原子含有ビニル単量体（ｄ）を構成単量体とする共重合体であることが、粘度指数向上効果の観点から好ましい。
窒素原子含有ビニル単量体（ｄ）としては、以下の単量体（ｄ１）〜（ｄ４）が挙げられる。
【００１６】
窒素原子含有ビニル単量体（ｄ）；
アミド基含有ビニル単量体（ｄ１）：
（メタ）アクリルアミド、モノアルキルアミノ（メタ）アクリルアミド［窒素原子に炭素数１〜４のアルキル基が１つ結合したもの；例えばＮ−メチル（メタ）アクリルアミド、Ｎ−エチル（メタ）アクリルアミド、Ｎ−イソプロピル（メタ）アクリルアミド及びＮ−ｎ−又はイソブチル（メタ）アクリルアミド等］、モノアルキルアミノアルキル（メタ）アクリルアミド［窒素原子に炭素数１〜４のアルキル基が１つ結合したアミノアルキル基（炭素数２〜６）を有するもの；例えばＮ−メチルアミノエチル（メタ）アクリルアミド、Ｎ−エチルアミノエチル（メタ）アクリルアミド、Ｎ−イソプロピルアミノ−ｎ−ブチル（メタ）アクリルアミド及びＮ−ｎ−又はイソブチルアミノ−ｎ−ブチル（メタ）アクリルアミド等］、ジアルキルアミノ（メタ）アクリルアミド［窒素原子に炭素数１〜４のアルキル基が２つ結合したもの；例えばＮ，Ｎ−ジメチル（メタ）アクリルアミド、Ｎ，Ｎ−ジエチル（メタ）アクリルアミド、Ｎ，Ｎ−ジイソプロピル（メタ）アクリルアミド及びＮ，Ｎ−ジ−ｎ−ブチル（メタ）アクリルアミド等］、ジアルキルアミノアルキル（メタ）アクリルアミド［窒素原子に炭素数１〜４のアルキル基が２つ結合したアミノアルキル基（炭素数２〜６）を有するもの；例えばＮ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド及びＮ，Ｎ−ジ−ｎ−ブチルアミノブチル（メタ）アクリルアミド等］、Ｎ−ビニルカルボン酸アミド［Ｎ−ビニルホルムアミド、Ｎ−ビニルアセトアミド、Ｎ−ビニル−ｎ−又はイソプロピオニルアミド及びＮ−ビニルヒドロキシアセトアミド等］等のアミド基のみに窒素原子を有するものが挙げられる。
【００１７】
ニトロ基含有単量体（ｄ２）：
４−ニトロスチレン等が挙げられる。
【００１８】
１〜３級アミノ基含有ビニル単量体（ｄ３）：
１級アミノ基含有ビニル単量体｛炭素数３〜６のアルケニルアミン［（メタ）アリルアミン及びクロチルアミン等］、アミノアルキル（炭素数２〜６）（メタ）アクリレート［アミノエチル（メタ）アクリレート等］｝；２級アミノ基含有ビニル単量体｛モノアルキルアミノアルキル（メタ）アクリレート［窒素原子に炭素数１〜６のアルキル基が１つ結合したアミノアルキル基（炭素数２〜６）を有するもの；例えばｔ−ブチルアミノエチル（メタ）アクリレート及びメチルアミノエチル（メタ）アクリレート等］、炭素数６〜１２のジアルケニルアミン［ジ（メタ）アリルアミン等］｝；３級アミノ基含有ビニル単量体｛ジアルキルアミノアルキル（メタ）アクリレート［窒素原子に炭素数１〜６のアルキル基が２つ結合したアミノアルキル基（炭素数２〜６）を有するもの；例えばジメチルアミノエチル（メタ）アクリレート及びジエチルアミノエチル（メタ）アクリレート等］、窒素原子を有する脂環式（メタ）アクリレート［モルホリノエチル（メタ）アクリレート等］、芳香族ビニル系単量体［ジフェニルアミン（メタ）アクリルアミド、Ｎ，Ｎ−ジメチルアミノスチレン、４−ビニルピリジン、２−ビニルピリジン、Ｎ−ビニルピロール、Ｎ−ビニルピロリドン及びＮ−ビニルチオピロリドン等］｝、及びこれらの塩酸塩、硫酸塩、リン酸塩又は低級アルキル（炭素数１〜８）モノカルボン酸（酢酸及びプロピオン酸等）塩等が挙げられる。
【００１９】
ニトリル基含有単量体（ｄ４）：
（メタ）アクリロニトリル等が挙げられる。
【００２０】
（ｄ）のうち好ましいのは、（ｄ１）及び（ｄ３）であり、更に好ましいのは、ジフェニルアミン（メタ）アクリルアミド、ジメチルアミノエチル（メタ）アクリルアミド、ジエチルアミノエチル（メタ）アクリルアミド、ジメチルアミノプロピル（メタ）アクリルアミド、ジメチルアミノエチル（メタ）アクリレート及びジエチルアミノエチル（メタ）アクリレートである。
【００２１】
（Ａ）は、単量体（ａ）〜（ｄ）に加え、以下の単量体（ｅ）〜（ｍ）を構成単量体としてもよい。
【００２２】
脂肪族炭化水素系ビニル単量体（ｅ）；
炭素数２〜２０のアルケン（エチレン、プロピレン、ブテン、イソブチレン、ペンテン、ヘプテン、ジイソブチレン、オクテン、ドデセン及びオクタデセン等）及び炭素数４〜１２のアルカジエン（ブタジエン、イソプレン、１，４−ペンタジエン、１，６−ヘプタジエン及び１，７−オクタジエン等）等が挙げられる。
【００２３】
脂環式炭化水素系ビニル単量体（ｆ）；
シクロヘキセン、（ジ）シクロペンタジエン、ピネン、リモネン、インデン、ビニルシクロヘキセン及びエチリデンビシクロヘプテン等が挙げられる。
【００２４】
芳香族炭化水素系ビニル単量体（ｇ）；
スチレン、α−メチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、４−クロチルベンゼン及び２−ビニルナフタレン等が挙げられる。
【００２５】
ビニルエステル、ビニルエーテル、ビニルケトン類（ｈ）；
炭素数２〜１２の飽和脂肪酸のビニルエステル（酢酸ビニル、プロピオン酸ビニル、酪酸ビニル及びオクタン酸ビニル等）、炭素数１〜１２のアルキル、アリール又はアルコキシアルキルビニルエーテル（メチルビニルエーテル、エチルビニルエーテル、プロピルビニルエーテル、ブチルビニルエーテル、２−エチルヘキシルビニルエーテル、フェニルビニルエーテル、ビニル−２−メトキシエチルエーテル及びビニル−２−ブトキシエチルエーテル等）及び炭素数１〜８のアルキル又はアリールビニルケトン（メチルビニルケトン、エチルビニルケトン及びフェニルビニルケトン等）等が挙げられる。
【００２６】
エポキシ基含有ビニル単量体（ｉ）；
グリシジル（メタ）アクリレート及びグリシジル（メタ）アリルエーテル等が挙げられる。
【００２７】
ハロゲン元素含有ビニル単量体（ｊ）；
塩化ビニル、臭化ビニル、塩化ビニリデン、塩化（メタ）アリル及びハロゲン化スチレン（ジクロロスチレン等）等が挙げられる。
【００２８】
不飽和ポリカルボン酸のエステル（ｋ）；
不飽和ポリカルボン酸のアルキル、シクロアルキル又はアラルキルエステル［不飽和ジカルボン酸（マレイン酸、フマール酸及びイタコン酸等）の炭素数１〜８のアルキルジエステル（ジメチルマレエート、ジメチルフマレート、ジエチルマレエート及びジオクチルマレエート）］等が挙げられる。
【００２９】
ヒドロキシル基含有ビニル単量体（ｌ）；
ヒドロキシル基含有芳香族ビニル単量体（ｐ−ヒドロキシスチレン等）、ヒドロキシアルキル（炭素数２〜６）（メタ）アクリレート［２−ヒドロキシエチル（メタ）アクリレート、及び２−又は３−ヒドロキシプロピル（メタ）アクリレート等］、モノ−又はジ−ヒドロキシアルキル（炭素数１〜４）置換（メタ）アクリルアミド［Ｎ，Ｎ−ジヒドロキシメチル（メタ）アクリルアミド、Ｎ，Ｎ−ジヒドロキシプロピル（メタ）アクリルアミド、Ｎ，Ｎ−ジ−２−ヒドロキシブチル（メタ）アクリルアミド等］、ビニルアルコール、炭素数３〜１２のアルケノール［（メタ）アリルアルコール、クロチルアルコール、イソクロチルアルコール、１−オクテノール及び１−ウンデセノール等］、炭素数４〜１２のアルケンジオール［１−ブテン−３−オール、２−ブテン−１−オール及び２−ブテン−１，４−ジオール等］、ヒドロキシアルキル（炭素数１〜６）アルケニル（炭素数３〜１０）エーテル（２−ヒドロキシエチルプロペニルエーテル等）、多価（３〜８価）アルコール（グリセリン、ペンタエリスリトール、ソルビトール、ソルビタン、ジグリセリン、糖類及び蔗糖等）のアルケニル（炭素数３〜１０）エーテル又は（メタ）アクリレート［蔗糖（メタ）アリルエーテル］等が挙げられる。
【００３０】
ポリオキシアルキレン鎖含有ビニル単量体（ｍ）；
ポリオキシアルキレングリコール（アルキレン基の炭素数２〜４、重合度２〜５０）、ポリオキシアルキレンポリオール［上記３〜８価のアルコールのポリオキシアルキレンエーテル（アルキレン基の炭素数２〜４、重合度２〜１００）］、ポリオキシアルキレングリコール又はポリオキシアルキレンポリオールのアルキル（炭素数１〜４）エーテルのモノ（メタ）アクリレート［ポリエチレングリコール（数平均分子量１００〜３００）モノ（メタ）アクリレート、ポリプロピレングリコール（数平均分子量１３０〜５００）モノ（メタ）アクリレート、メトキシポリエチレングリコール（数平均分子量１１０〜３１０）（メタ）アクリレート、ラウリルアルコールエチレンオキシド付加物（２〜３０モル）（メタ）アクリレート及びモノ（メタ）アクリル酸ポリオキシエチレン（数平均分子量１５０〜２３０）ソルビタン等］等が挙げられる。
【００３１】
（Ａ）を構成する（ａ）の割合は、粘度指数向上効果及び低温粘度の観点から、（Ａ）の重量に基づいて、好ましくは５〜９０重量％であり、更に好ましくは１０〜８０重量％、特に好ましくは２０〜７０重量％である。
（Ａ）を構成する（ｂ）の割合は、粘度指数向上効果及び低温粘度の観点から、（Ａ）の重量に基づいて、好ましくは０〜５０重量％であり、更に好ましくは５〜４５重量％、特に好ましくは２０〜４０重量％である。
（Ａ）を構成する（ｃ）の割合は、粘度指数向上効果及び低温粘度の観点から、（Ａ）の重量に基づいて、好ましくは０〜７０重量％であり、更に好ましくは１０〜６０重量％、特に好ましくは２０〜５０重量％である。
（Ａ）を構成する（ｄ）の割合は、粘度指数向上効果及び低温粘度の観点から、（Ａ）の重量に基づいて、好ましくは０〜１５重量％であり、更に好ましくは１〜１２重量％、特に好ましくは２〜１０重量％である。
（Ａ）を構成する（ｅ）〜（ｍ）の割合は、粘度指数向上効果及び低温粘度の観点から、それぞれ、（Ａ）の重量に基づいて、好ましくは０〜１０重量％であり、更に好ましくは１〜７重量％、特に好ましくは２〜５重量％である。
【００３２】
（Ａ）の溶解性パラメーター（以下ＳＰ値と略記する）は、粘度指数向上効果及び基油への溶解性の観点から、７．３〜１１（ｃａｌ／ｃｍ３）１／２であり、好ましくは９．０〜１０．５（ｃａｌ／ｃｍ３）１／２、更に好ましくは９．１〜１０．３（ｃａｌ／ｃｍ３）１／２である。なお、本発明におけるＳＰ値は、Ｆｅｄｏｒｓ法（Ｐｏｌｙｍｅｒ Ｅｎｇｉｎｅｅｒｉｎｇ ａｎｄ Ｓｃｉｅｎｃｅ，Ｆｅｂｕｒｕａｒｙ，１９７４，Ｖｏｌ．１４、Ｎｏ．２ Ｐ．１４７〜１５４）に記載の方法で算出される値である。
（Ａ）のＳＰ値は、（Ａ）を構成する単量体それぞれのＳＰ値を前記の方法で算出し、それぞれの単量体のＳＰ値を、構成単量体単位のモル分率に基づいて平均した値である。
（Ａ）のＳＰ値は、使用する単量体のＳＰ値、モル分率を適宜調整することにより７．３〜１１（ｃａｌ／ｃｍ３）１／２にすることができる。
【００３３】
（Ａ）の重量平均分子量（以下Ｍｗと略記する）は、粘度指数向上効果及び低温粘度の観点から、好ましくは５，０００〜１，０００，０００であり、更に好ましい範囲は、潤滑油組成物の用途によって異なり、表１に記載の範囲である。
【表１】
2013142118.tif 000003
* ：オートマチックトランスミッション油
** ：ベルト−コンティニュアスリーバリュアブルトランスミッション油
*** ：マニュアルトランスミッション油
【００３４】
なお、（Ａ）のＭｗは、ゲルパーミュエーションクロマトグラフィーにより、以下の条件で測定することができる。
＜Ｍｗの測定条件＞
装置      ：「ＨＬＣ−８０２Ａ」［東ソー（株）製］
カラム    ：「ＴＳＫ  ｇｅｌ  ＧＭＨ６」［東ソー（株）製］２本
測定温度  ：４０℃
試料溶液  ：０．５重量％のテトラヒドロフラン溶液
溶液注入量：２００μｌ
検出装置  ：屈折率検出器
標準      ：ポリスチレン（ＴＳＫｓｔａｎｄａｒｄＰＯＬＹＳＴＹＲＥＮＥ）１２点（分子量：５００、１，０５０、２，８００、５，９７０、９，１００、１８，１００、３７，９００、９６，４００、１９０，０００、３５５，０００、１，０９０，０００、２，８９０，０００）［東ソー（株）製］
【００３５】
（Ａ）の結晶化温度は、低温粘度の観点から好ましくは−２０℃以下であり、更に好ましくは−４０℃以下、特に好ましくは−５０℃以下である。
なお、（Ａ）の結晶化温度は、示差走査熱量計「ＵＮＩＸ（登録商標）ＤＳＣ７」（ＰＥＲＫＩＮ−ＥＬＭＥＲ社製）を使用し、粘度指数向上剤５ｍｇを試料とし、１０℃／分の等温速度で１００℃から−６０℃まで冷却したときに観測される結晶化温度である。
【００３６】
（Ａ）は、公知の製造方法によって得ることができる。具体的には前記の単量体を溶剤
中で重合触媒存在下に溶液重合することにより得る方法が挙げられる。
溶剤としては、トルエン、キシレン、炭素数９〜１０のアルキルベンゼン、メチルエチルケトン及び鉱物油等が挙げられる。
重合触媒としては、アゾ系触媒（アゾビスイソブチロニトリル及びアゾビスバレロニトリル等）、過酸化物系触媒（ベンゾイルパーオキサイド、クミルパーオキサイド及びラウリルパーオキサイド等）及びレドックス系触媒（ベンゾイルパーオキサイドと３級アミンの混合物等）が挙げられる。更に必要により、公知の連鎖移動剤（炭素数２〜２０のアルキルメルカプタン等）を使用することもできる。
重合温度は、好ましくは２５〜１４０℃であり、更に好ましくは５０〜１２０℃である。また、上記の溶液重合の他に、塊状重合、乳化重合又は懸濁重合により（Ａ）を得ることができる。
（Ａ）が共重合体である場合の重合形態としては、ランダム付加重合体又は交互共重合体のいずれでもよく、また、グラフト共重合体又はブロック共重合体のいずれでもよい。
【００３７】
本発明の粘度指数向上剤組成物（Ｒ）は、（Ａ）と、（Ａ）以外のアルキル（メタ）アクリル酸エステル系（共）重合体（Ｂ）を併用してもよい。
（Ｂ）としては、（Ａ）以外のアルキル（メタ）アクリル酸エステル系重合体であれば特に限定しないが、炭素数１〜１５の直鎖アルキル基を有する（メタ）アクリル酸アルキルエステル等が挙げられる。
（Ｂ）の具体例としては、メタクリル酸ｎ−オクタデシル／メタクリル酸ｎ−ドデシル（モル比１０〜３０／９０〜７０）共重合体、メタクリル酸ｎ−テトラデシル／メタクリル酸ｎ−ドデシル（モル比１０〜３０／９０〜７０）共重合体、メタクリル酸ｎ−ヘキサデシル／メタクリル酸ｎ−ドデシル／メタクリル酸メチル（モル比２０〜４０／５５〜７５／０〜１０）共重合体及びアクリル酸ｎ−ドデシル／メタクリル酸ｎ−ドデシル（モル比１０〜４０／９０〜６０）共重合体等が挙げられ、これらは単独でも２種以上を併用してもよい。
【００３８】
（Ａ）と（Ｂ）を併用する場合の（Ｂ）の使用量は、（Ａ）の重量に基づいて、低温粘度の観点から好ましくは０〜３０重量％であり、更に好ましくは０．０１〜２０重量％、特に好ましくは０．０１〜１０重量％である。
【００３９】
本発明の粘度指数向上剤組成物（Ｒ）は、１００℃における動粘度が１〜３０ｍｍ２／ｓであるエステル系潤滑油基油（Ｓ）を含有してなる。
【００４０】
エステル系潤滑油基油（Ｓ）としては、モノエステル系潤滑油基油（Ｓ１）、ジエステル系潤滑油基油（Ｓ２）及びポリエステル系潤滑油基油（Ｓ３）等が挙げられる。
【００４１】
モノエステル系潤滑油基油（Ｓ１）としては、炭素数１〜２４の１価アルコールと炭素数２〜２４の１価カルボン酸とのエステルが挙げられる。
炭素数１〜２４の１価アルコールとしては、直鎖又は分枝のものであってもよく、具体的には、メタノール、エタノール、プロパノール、イソプロパノール、ブタノール、イソブタノール、ペンタノール、ヘキサノール、ヘプタノール、オクタノール、２−エチルヘキサノール、ノナノール、デカノール、イソデカノール、ウンデカノール、ドデカノール、トリデカノール、テトラデカノール、ペンタデカノール、ヘキサデカノール、２−ヘキシルデカノール、イソステアリルアルコール、２−オクチルドデカノール及び２−デシルテトラデカノール等が挙げられる。
【００４２】
炭素数２〜２４の１価カルボン酸としては、直鎖又は分枝のものであってもよく、具体的には、炭素数２〜２４の脂肪族１価カルボン酸（酢酸、ｎ−ブタン酸、イソペンタン酸、ｎ−ペンタン酸、ｎ−ヘキサン酸、ｎ−ヘプタン酸、ｎ−オクタン酸、２−エチルヘキサン酸、ｎ−ノナン酸、ｎ−デカン酸、イソデカン酸、ｎ−ドデカン酸、ｎ−テトラデカン酸、ｎ−ペンタデカン酸、ｎ−ヘキサデカン酸、２−ヘキシルデカン酸、ｎ−ステアリン酸、ｎ−エイコサン酸、２−オクチルドデカン酸及び２−デシルテトラデカン酸等）、及び炭素数７〜２４の芳香族１価カルボン酸（安息香酸、エチル安息香酸、桂皮酸及びｔ−ブチル安息香酸等）が挙げられる。
【００４３】
モノエステル系潤滑油基油（Ｓ１）の具体例としては、ｎ−ブタン酸エチル、ｎ−ヘキサン酸オクチル、２−エチルヘキサン酸エチル、ｎ−テトラデカン酸メチル、ｎ−ペンタデカン酸エチル、ｎ−ステアリン酸オクチル及び２−デシルテトラデカン酸エチル等が挙げられる。
【００４４】
ジエステル系潤滑油基油（Ｓ２）としては、炭素数１〜２４の１価アルコールと炭素数２〜２４の２価カルボン酸とのジエステル（Ｓ２−１）、炭素数２〜２４の２価アルコールと炭素数２〜２４の１価カルボン酸とのジエステル（Ｓ２−２）及び炭素数１〜２４の２価アルコールと炭素数２〜２４の２価カルボン酸とのジエステル（Ｓ２−３）等が挙げられる。
【００４５】
（Ｓ２−１）を構成する炭素数１〜２４の１価アルコールとしては、前記のものが挙げられる。
炭素数２〜２４の２価カルボン酸としては、直鎖又は分枝のものであってもよく、具体的には、炭素数２〜２４の脂肪族ジカルボン酸（コハク酸、アジピン酸、オクタンジカルボン酸、グルタル酸、リンゴ酸、セバシン酸、アゼライン酸、デカンジカルボン酸、ドデカンジカルボン酸、オクタデカンジカルボン酸及びデシルコハク酸等）、炭素数６〜２４の脂環式ジカルボン酸（１，４−ジカルボキシシクロヘキサン及び１，４−ジカルボキシシクロヘプタン酸）等］、及び炭素数８〜２４の芳香族ジカルボン酸（フタル酸、イソフタル酸、テレフタル酸、ｔ−ブチルイソフタル酸、２，６−ナフタレンジカルボン酸及び４，４’−ビフェニルジカルボン酸等）等が挙げられる。
【００４６】
（Ｓ２−１）の具体例としては、アジピン酸ジエチル、アジピン酸ジ−ｎ−オクチル、アジピン酸ジ−ｎ−デシル、オクタンジカルボン酸ジ−ｎ−ノニル、デカンジカルボン酸ジ−ｎ−オクチル、デカンジカルボン酸ジ−２−エチルヘキシル、オクタデカンジカルボン酸ジ−ｎ−オクチル、セバシン酸ジ−ｎ−オクチル、テレフタル酸ジ−ｎ−ステアリル及び４，４’−ビフェニルジカルボン酸ジメチル等が挙げられる。
【００４７】
（Ｓ２−２）を構成する炭素数２〜２４の２価アルコールとしては、炭素数２〜２４のアルキレンエーテルグリコール（エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、１，１３−トリデカンジオール、１，１４−テトラデカンジオール、１，１８−オクタデカンジオール、１，２０−エイコサンジオール、１，２−プロピレングリコール、ネオペンチルグリコール、２，２−ジエチル−１，３−プロパンジオール、炭素数４〜２４のアルキレンエーテルグリコール［ジエチレングリコール、トリエチレングリコール、ポリ（重合度＝４〜１２）エチレングリコール、ジプロピレングリコール、ポリ（重合度＝３〜８）プロピレングリコール、ジテトラメチレングリコール及びポリ（重合度＝２〜６）テトラメチレングリコール等］、炭素数４〜２４の脂環式ジオール（１，４−ジヒドロキシメチルシクロヘキサン及び水素添加ビスフェノールＡ等）、上記脂環式ジオールのアルキレンオキサイド（以下ＡＯと略記する）［エチレンオキサイド（以下ＥＯと略記する）、プロピレンオキサイド（以下ＰＯと略記する）及びブチレンオキサイド（以下ＢＯと略記する）等］付加物（付加モル数１〜４）；ビスフェノール類（ビスフェノールＡ、ビスフェノールＦ及びビスフェノールＳ等）のＡＯ（ＥＯ、ＰＯ及びＢＯ等）付加物（付加モル数１〜４）；ポリラクトンジオール(ポリ−ε−カプロラクトンジオール等)；及びポリブタジエンジオール等が挙げられる。
【００４８】
（Ｓ２−２）を構成する炭素数２〜２４の１価カルボン酸としては、前記のものが挙げられる。
【００４９】
（Ｓ２−２）の具体例としては、ｎ−ステアリン酸２モルとエチレングリコール１モルとで構成されるジエステル、２−エチルヘキサン酸２モルとジプロピレングリコール１モルとで構成されるジエステル、及びｎ−ブタン酸２モルとビスフェノールＡ１モルとで構成されるジエステル等が挙げられる。
【００５０】
（Ｓ２−３）を構成する炭素数１〜２４の２価アルコールと炭素数２〜２４の２価カルボン酸としては、前記のものが挙げられる。
（Ｓ２−３）の具体例としては、アジピン酸１モルとジプロピレングリコール１モルとで構成されるジエステル、及びフタル酸１モルとトリエチレングリコール１モルとで構成されるジエステル等が挙げられる。
【００５１】
ポリエステル系潤滑油基油（Ｓ３）としては、炭素数２〜２４の３〜６価アルコールと炭素数２〜２４の１価カルボン酸とのエステル（Ｓ３−１）、炭素数２〜２４の３〜６価アルコールと炭素数２〜２４の２価カルボン酸とのエステル（Ｓ３−２）、炭素数１〜２４の１価アルコールと炭素数２〜２４の３〜６価カルボン酸とのエステル（Ｓ３−３）、炭素数２〜２４の２価アルコールと炭素数２〜２４の３〜６価カルボン酸とのエステル（Ｓ３−４）、炭素数２〜２４の３〜６価アルコールと炭素数２〜２４の３〜６価カルボン酸とのエステル（Ｓ３−５）等が挙げられる。
【００５２】
（Ｓ３−１）を構成する炭素数２〜２４の３〜６価アルコールとしては、炭素数２〜２４の３価アルコール［グリセリン、１，２，４−トリヒドロキシブタン、２，３，４−トリヒドロキシペンタン、１，１，１−トリス（ヒドロキシメチル）エタン及び１，２，６−トリヒドロキシヘキサン、１，２，３−トリヒドロキシヘプタン等］、炭素数２〜２４の４価アルコール（ペンタエリスリトール等）、炭素数２〜２４の５価アルコール（キシリトール及びアラビトール等）、炭素数２〜２４の６価アルコール（ソルビトール及びマンニトール等）等が挙げられる。
（Ｓ３−１）を構成する炭素数２〜２４の１価カルボン酸としては、前記のものが挙げられる。
【００５３】
（Ｓ３−１）の具体例としては、グリセリン１モルと酢酸３モルとで構成されるトリエステル、ペンタエリスリトール１モルとｎ−ブタン酸４モルとで構成されるテトラエステル、ソルビトール１モルと酢酸６モルとで構成されるヘキサエステル等が挙げられる。
【００５４】
（Ｓ３−２）を構成する炭素数２〜２４の３〜６価アルコールと、炭素数２〜２４の２価カルボン酸としては、前記のものが挙げられる。
（Ｓ３−２）の具体例としては、グリセリン１モルリンゴ酸１モルとで構成されるジエステル、及びソルビトール１モルとアジピン酸１モルとで構成されるジエステル等が挙げられる。
【００５５】
（Ｓ３−３）を構成する炭素数１〜２４の１価アルコールとしては、前記のものが挙げられる。
炭素数２〜２４の３〜６価カルボン酸としては、トリメリット酸、ピロメリット酸、エチレンジアミン四酢酸、シクロペンタンテトラカルボン酸、トリエチレンテトラミン六酢酸及びシクロヘキサンヘキサカルボン酸等が挙げられる。
【００５６】
（Ｓ３−３）の具体例としては、トリメリット酸１モルとメタノール３モルとで構成されるトリエステル、及びピロメリット酸１モルとイソプロパノール４モルとで構成されるテトラエステル等が挙げられる。
【００５７】
（Ｓ３−４）を構成する炭素数２〜２４の２価アルコールと炭素数２〜２４の３〜６価カルボン酸としては、前記のものが挙げられる。
（Ｓ３−４）の具体例としては、トリエチレングリコール１モルとトリメリット酸１モルとで構成されるジエステル、トリエチレングリコール２モルとピロメリット酸１モルとで構成されるテトラエステル等が挙げられる。
【００５８】
（Ｓ３−５）を構成する炭素数２〜２４の３〜６価アルコールと炭素数２〜２４の３〜６価カルボン酸としては、前記のものが挙げられる。
（Ｓ３−５）の具体例としては、グリセリン１モルとトリメリット酸１モルとで構成されるジエステル、及びソルビトール１モルとトリメリット酸１モルとで構成されるジエステル等が挙げられる。
【００５９】
エステル系潤滑油基油（Ｓ）のうち、粘度指数向上効果の観点から好ましいのは、モノエステル系潤滑油基油（Ｓ１）、ジエステル系潤滑油基油（Ｓ２）であり、更に好ましいのは、（Ｓ１）、（Ｓ２−１）及び（Ｓ２−２）、特に好ましいのは（Ｓ２−１）及び（Ｓ２−２）である。
なお、（Ｓ）は１種類を単独で用いてもよく、２種以上を併用してもよい。
【００６０】
エステル系潤滑油基油（Ｓ）の１００℃における動粘度は１〜３０ｍｍ2／ｓであり、粘度指数向上効果の観点から、好ましくは１．５〜２０ｍｍ2／ｓ、更に好ましくは１．５〜1０ｍｍ2／ｓである。
【００６１】
（Ｓ）の粘度指数は、粘度指数向上効果の観点から、好ましくは８０以上であり、更に好ましくは１００以上、特に好ましくは１０５〜１８０である。なお、（Ｓ）の粘度指数は、ＪＩＳ Ｋ２２８３−１９９３の方法で測定することができる。
【００６２】
（Ｓ）の流動点は、潤滑油組成物の低温粘度の観点から、好ましくは−５℃以下であり、更に好ましくは−１５〜−６０℃である。なお、（Ｓ）の流動点は、ＪＩＳ Ｋ２２６９−１９９３の方法で測定することができる。
【００６３】
本発明の粘度指数向上剤組成物（Ｒ）には、（Ａ）と（Ｓ）に加え、１００℃における動粘度が１〜２０ｍｍ２／ｓである潤滑油基油（Ｔ）を含有させてもよい。（Ｔ）を含有させることで、本発明の粘度指数向上剤組成物（Ｒ）の粘度指数向上効果が向上する。
（Ｔ）としては、鉱物油（溶剤精製油、パラフィン油、イソパラフィンを含有する高粘度指数油、イソパラフィンの水素化分解による高粘度指数油及びナフテン油等）、合成潤滑油［炭化水素系合成潤滑油（ポリ−α−オレフィン系合成潤滑油等）］及びこれらの混合物が挙げられる。これらのうち、（Ａ）の溶解性の観点から好ましいのは鉱物油である。
【００６４】
（Ｔ）の１００℃における動粘度（ＪＩＳ−Ｋ２２８３で測定したもの）は、粘度指数向上効果及び蒸発損失の観点から、好ましくは１〜２０ｍｍ２／ｓであり、更に好ましくは１．５〜１５ｍｍ２／ｓ、特に好ましくは２〜１０ｍｍ２／ｓである。なお、（Ｔ）の１００℃における動粘度は、ＪＩＳ Ｋ２２８３の方法で測定することができる。
（Ｔ）の粘度指数は、粘度指数向上効果の観点から、好ましくは９０以上であり、更に好ましくは１００以上である。また、潤滑油組成物の低温粘度の観点から、好ましくは１７０以下であり、更に好ましくは１６０以下である。なお、（Ｔ）の粘度指数は、ＪＩＳ Ｋ２２８３の方法で測定することができる。
（Ｔ）の曇り点（ＪＩＳ  Ｋ２２６９で測定したもの）は、低温粘度の観点から、好ましくは−５℃以下であり、更に好ましくは−１５℃以下である。なお、（Ｔ）の曇り点は、ＪＩＳ  Ｋ２２６９での方法で測定することができる。
【００６５】
本発明の粘度指数向上剤組成物（Ｒ）における（Ａ）の含有率は、粘度指数向上効果の観点から、粘度指数向上剤組成物（Ｒ）の重量に基づき、好ましくは１０〜９９．９重量％であり、更に好ましくは５０〜９９．５重量％、特に好ましくは８０〜９９重量％、より好ましくは８５〜９８重量％、最も好ましくは９０〜９６重量％である。
本発明の粘度指数向上剤組成物（Ｒ）における（Ｓ）の含有率は、粘度指数向上効果と粘度指数向上剤組成物（Ｒ）の酸化安定性及び貯蔵安定性の観点から、粘度指数向上剤組成物（Ｒ）の重量に基づき、好ましくは０．１〜９０重量％であり、更に好ましくは０．５〜５０重量％、特に好ましくは１〜２０重量％、より好ましくは２〜１５重量％、最も好ましくは４〜１０重量％である。
本発明の粘度指数向上剤組成物（Ｒ）における（Ｔ）の含有率は、粘度指数向上剤組成物（Ｒ）の重量に基づき、好ましくは０〜５０重量％であり、更に好ましくは０．５〜３０重量％、特に好ましくは１〜１０重量％、より好ましくは２〜８重量％、最も好ましくは４〜６重量％である。
【００６６】
本発明の粘度指数向上剤組成物（Ｒ）の製造方法は、（Ｓ）の存在下に（ａ）を含有してなる単量体を重合して（Ａ）を得ることを構成要件とする。（Ｓ）の存在下に（ａ）を含有してなる単量体を重合して（Ａ）を得ることにより、（ａ）を含有してなる単量体を重合して（Ａ）を得た後（Ａ）と（Ｓ）を混合して粘度指数向上剤組成物（Ｒ）を作製する場合と比較して、得られた粘度指数向上剤組成物（Ｒ）の粘度指数向上効果が優れる。
（Ｓ）、（Ａ）を構成する（ａ）としては、前記のものが挙げられる。（ａ）と共重合可能な単量体としては、前記の（ｂ）〜（ｍ）が挙げられる。
【００６７】
本発明の粘度指数向上剤組成物（Ｒ）の製造方法としては、重合触媒存在下に、（ａ）と、必要により（ｂ）〜（ｍ）から選ばれた単量体を（Ｓ）中で溶液重合する方法が挙げられ、具体的には以下の方法が挙げられる。
［１］単量体をあらかじめ（Ｓ）中に溶解させ、重合触媒を滴下する方法。
［２］（Ｓ）中に単量体と重合触媒を滴下する方法。
［３］重合触媒を含有する（Ｓ）中に単量体を滴下する方法。
［４］あらかじめ（Ｓ）中に単量体と重合触媒を投入しておく方法。
【００６８】
重合触媒としては、（Ａ）の製造方法で例示したものと同様のものが挙げられる。
重合温度は、好ましくは２５〜１４０℃であり、更に好ましくは５０〜１２０℃である。また、溶液重合の他に、塊状重合、乳化重合又は懸濁重合により（Ａ）を重合することができる。
（Ａ）が共重合体である場合の重合形態としては、ランダム付加重合体又は交互共重合体のいずれでもよく、また、グラフト共重合体又はブロック共重合体のいずれでもよい。
【００６９】
本発明の粘度指数向上剤組成物（Ｒ）の製造方法においては、（Ｓ）及び（Ｔ）の存在下に（ａ）を含有してなる単量体を重合して（Ａ）を得ることにより、得られた粘度指数向上剤組成物（Ｒ）の粘度指数向上効果が更に優れるため好ましい。（Ｔ）としては、前記のものが挙げられる。
【００７０】
本発明の粘度指数向上剤組成物（Ｒ）の製造方法において使用する単量体の総重量は、重合反応が容易に進行するという観点から、得られる粘度指数向上剤組成物（Ｒ）１００重量部に対して、好ましくは２０〜８０重量部であり、更に好ましくは２０〜７０重量部、特に好ましくは２５〜５０重量部である。
本発明の粘度指数向上剤組成物（Ｒ）の製造方法において使用する（Ｓ）の重量は、重合反応が容易に進行するという観点から、得られる粘度指数向上剤組成物（Ｒ）１００重量部に対して、好ましくは２０〜８０重量部であり、更に好ましくは２５〜７５重量部、特に好ましくは３０〜５０重量部である。
本発明の粘度指数向上剤組成物（Ｒ）の製造方法において使用する（Ｔ）の重量は、重合反応が容易に進行するという観点から、得られる粘度指数向上剤組成物（Ｒ）１００重量部に対して、好ましくは０〜８０重量部であり、更に好ましくは５〜５５重量部、特に好ましくは２０〜４５重量部である。
【００７１】
本発明の潤滑油組成物は、本発明の粘度指数向上剤組成物（Ｒ）及び潤滑油基油（Ｕ）を含有してなる。
（Ｕ）としては、前記の（Ｓ）、（Ｔ）と同様のものが挙げられる。（Ｕ）の１００℃における動粘度は、粘度指数向上効果の観点から、好ましくは１．５〜１５ｍｍ2／ｓであり、更に好ましくは１．５〜１０ｍｍ2／ｓである。
【００７２】
本発明の潤滑油組成物は、用途の違いにより、（Ｕ）の１００℃における動粘度の好ましい範囲が異なる。
潤滑油組成物がエンジン油又はギヤ油の場合には、（Ｕ）の１００℃における動粘度は、好ましくは３〜１０ｍｍ2／ｓである。
潤滑油組成物が自動変速機油（ＡＴＦ、ベルトＣＶＴ油）の場合には、（Ｕ）の１００℃における動粘度は、好ましくは２〜６ｍｍ2／ｓである。
潤滑油組成物がトラクション油の場合には、（Ｕ）の１００℃における動粘度は、好ましくは１〜５ｍｍ2／ｓである。
【００７３】
本発明の潤滑油組成物は、用途の違いにより、粘度指数向上剤組成物（Ｒ）の含有率の好ましい範囲が異なる。
潤滑油組成物がエンジン油の場合には、潤滑油組成物の重量に基づき、（Ａ）として０．５〜１５重量％含有するよう粘度指数向上剤組成物（Ｒ）を含有しているのが好ましい。
潤滑油組成物がギヤ油の場合には、潤滑油組成物の重量に基づき、（Ａ）として３〜３０重量％含有するよう粘度指数向上剤組成物（Ｒ）を含有しているのが好ましい。
潤滑油組成物が自動変速機油（ＡＴＦ、ｂｅｌｔ−ＣＶＴ、ＭＦＴ）の場合には、潤滑油組成物の重量に基づき、（Ａ）として２〜２５重量％含有するよう粘度指数向上剤組成物（Ｒ）を含有しているのが好ましい。
潤滑油組成物がトラクション油の場合には、潤滑油組成物の重量に基づき、（Ａ）として０．５〜１５重量％含有するよう粘度指数向上剤組成物（Ｒ）を含有しているのが好ましい。
潤滑油組成物が作動油の場合には、潤滑油組成物の重量に基づき、（Ａ）として０．５〜２５重量％含有するよう粘度指数向上剤組成物（Ｒ）を含有しているのが好ましい。
【００７４】
本発明の潤滑油組成物は、各種添加剤を含有してもよい。添加剤としては、以下のものが挙げられる。
（１）清浄剤：
塩基性、過塩基性又は中性の金属塩［スルフォネート（石油スルフォネート、アルキル
ベンゼンスルフォネート及びアルキルナフタレンスルフォネート等）の過塩基性又はアルカリ土類金属塩等］、サリシレート類、フェネート類、ナフテネート類、カーボネート類、フォスフォネート類及びこれらの混合物；
（２）分散剤：
コハク酸イミド類（ビス−又はモノ−ポリブテニルコハク酸イミド類）、マンニッヒ縮
合物及びボレート類等；
（３）酸化防止剤：
ヒンダードフェノール類及び芳香族２級アミン類等；
（４）油性向上剤：
長鎖脂肪酸及びそれらのエステル（オレイン酸及びオレイン酸エステル等）、長鎖アミ
ン及びそれらのアミド（オレイルアミン及びオレイルアミド等）等；
（５）摩擦摩耗調整剤：
モリブデン系及び亜鉛系化合物（モリブデンジチオフォスフェート、モリブデンジチオ
カーバメート及びジンクジアルキルジチオフォスフェート等）等；
（６）極圧剤：
硫黄系化合物（モノ又はジスルフィド、スルフォキシド及び硫黄フォスファイド化合
物）、フォスファイド化合物及び塩素系化合物（塩素化パラフィン等）等；
（７）消泡剤：
シリコン油、金属石けん、脂肪酸エステル及びフォスフェート化合物等；
（８）抗乳化剤：
４級アンモニウム塩（テトラアルキルアンモニウム塩等）、硫酸化油及びフォスフェー
ト（ポリオキシエチレン含有非イオン性界面活性剤のフォスフェート等）等；
（９）腐食防止剤：
窒素原子含有化合物（ベンゾトリアゾール及び１，３，４−チオジアゾリル−２，５−
ビスジアルキルジチオカーバメート等）等。
【実施例】
【００７５】
以下、実施例により本発明を詳細に説明するが、本発明はこれらに限定されるものではない。
【００７６】
＜実施例１〜３、比較例１、２＞
撹拌装置、加熱冷却装置、温度計及び窒素導入管を備えた反応容器に、表２記載の基油を表２記載の重量部数、表２に記載の単量体１００重量部、重合触媒として２，２'−アゾビス（２，４−ジメチルバレロニトリル）０．０４重量部、２，２'−アゾビス（２−メチルブチロニトリル）０．１８重量部を投入した。反応容器の気相部の窒素置換を行い、気相酸素濃度を１０〜２００ｐｐｍとした。密閉下に、撹拌しながら反応容器内を７５℃に昇温し、同温度で４時間重合した。次いで９０℃に昇温し、同温度で２時間熟成した。１２０〜１３０℃に昇温後、同温度で減圧下（０．０２７〜０．０４０ＭＰａ）未反応の単量体を２時間かけて除去し、共重合体（Ａ１）〜（Ａ３）、（Ｈ１）、（Ｈ２）を含有してなる粘度指数向上剤組成物（Ｒ１）〜（Ｒ３）、（Ｖ１）、（Ｖ２）を得た。得られた共重合体（Ａ１）〜（Ａ３）、（Ｈ１）、（Ｈ２）のＳＰ値を上記の方法で計算し、Ｍｗを上記の方法で測定した。結果を表２に示す。
【００７７】
【表２】
2013142118.tif 000004
【００７８】
表２に記載の単量体は、以下の通りである。
（ａ−１）：メタクリル酸２−デシルテトラデシル
（ｂ−１）：メタクリル酸メチル
（ｃ−１）：メタクリル酸ｎ−ヘキサデシル
（ｄ−１）：Ｎ，Ｎ−ジメチルアミノエチルメタクリレート
表２に記載の（Ｓ）、（Ｔ）は、以下の通りである。
（Ｓ−１）：セバシン酸ジ−ｎ−オクチル（１００℃動粘度：３．２３ｍｍ２／ｓ、４０℃動粘度：１１.５６ｍｍ２／ｓ、粘度指数：１５１）
（Ｔ−１）：「ＹＵＢＡＳＥ４」［鉱物油、１００℃における動粘度：４．２５ｍｍ２／ｓ、４０℃における動粘度：１０．７ｍｍ２／ｓ、粘度指数：１０１、ＳＫＯＩＬ社製］
【００７９】
＜実施例４〜６、比較例３、４＞
撹拌装置を備えたステンレス製容器に、（Ｔ−１）を投入し、得られる潤滑油組成物の１５０℃のＨＴＨＳ粘度が２．６０±０．０５（mm２／ｓ）になるように、それぞれ粘度指数向上剤組成物（Ｒ１）〜（Ｒ３）、（Ｖ１）、（Ｖ２）を添加し、潤滑油組成物（Ｘ１）〜（Ｘ３）、（Ｙ１）、（Ｙ２）を得た。
潤滑油組成物（Ｘ１）〜（Ｘ３）、（Ｙ１）、（Ｙ２）の４０℃及び１００℃における動粘度、粘度指数、８０℃及び１５０℃におけるＨＴＨＳ粘度、−４０℃における低温粘度を測定した。各測定は以下の評価方法により行った。結果を表３に示す。
【００８０】
＜潤滑油組成物の４０℃及び１００℃における動粘度の測定方法＞
ＡＳＴＭ  Ｄ４４５の方法で測定した。
【００８１】
＜潤滑油組成物の粘度指数の測定方法＞
ＪＩＳ−Ｋ２２８３−１９９３の方法で測定した。
【００８２】
＜潤滑油組成物の８０℃及び１５０℃におけるＨＴＨＳ粘度の測定方法＞
ＡＳＴＭ  Ｄ４６８３の方法で測定した。
【００８３】
＜潤滑油組成物の−４０℃における低温粘度の測定方法＞
ＡＳＴＭ  Ｄ５２９３の方法で測定した。
【００８４】
【表３】
2013142118.tif 000005
【００８５】
表３の結果から明らかなように、本発明の粘度指数向上剤組成物（Ｒ）を含有してなる潤滑油組成物（実施例４〜６）は、比較例３、４の潤滑油組成物と比較して、粘度指数向上効果が高く、４０℃における動粘度が低いため、省燃費性に優れている。
【産業上の利用可能性】
【００８６】
本発明の粘度指数向上剤組成物（Ｒ）を含有してなる潤滑油組成物は、駆動系潤滑油（マニュアルトランスミッション油、デファレンシャルギヤ油、オートマチックトランスミッション油及びベルトＣＶＴ油等）、作動油（機械の作動油、パワーステアリング油及びショックアブソーバー油等）、エンジン油（ガソリン用及びディーゼル用等）及びトラクション油として好適である。